(57)【特許請求の範囲】
【請求項１】
パーソナルコンピュータを直接接続するか、または、他のファクシミリ装置を回線を介して接続するための接続手段を備え、その接続手段に接続された他装置である前記パーソナルコンピュータまたは他のファクシミリ装置との間で所定のプロトコル手順をやりとりしてファクシミリメッセージを送受信するファクシミリ装置において、
前記接続手段に接続された他装置から送出されてくる、自装置を前記他装置にとってのプリンタ装置として指定する所定の選択信号を検出するローカル受信検出手段と、
そのローカル受信検出手段が前記所定の選択信号を検出した場合は、前記他装置を自装置と直結された前記パーソナルコンピュータであるとして、当該パーソナルコンピュータとの間で前記所定のプロトコル手順を短縮したプロトコル手順をやりとりして前記他装置としての前記パーソナルコンピュータからの画像データをファクシミリメッセージとして受信して記録するローカル受信手段と
を備えたことを特徴とするファクシミリ装置。
【請求項２】
ファクシミリメッセージとして受信した画像データをロール紙に記録する記録手段と、
その記録手段の画像データ１ページ当たりの記録長を設定する記録ページ長設定手段と、
前記ローカル受信手段が受信した各ページの画像データが前記記録手段により記録される前または後に、それら各画像データの全長とフィード長との合計が、前記記録ページ長設定手段により設定された記録長とほぼ一致するのに相当する前記フィード長だけ前記ロール紙をフィードする定型補正手段とを更に備えたことを特徴とする請求項１記載のファクシミリ装置。
【請求項３】
定型モード設定／解除手段を更に備え、前記定型補正手段は、前記定型モード設定／解除手段により定型モードに設定されている場合のみ、前記ローカル受信手段が受信した各ページの画像データが前記記録手段により記録される前または後に、それら各画像データの全長とフィード長との合計が、前記記録ページ長設定手段により設定された記録長とほぼ一致するのに相当する前記フィード長だけ前記ロール紙をフィードすることを特徴とする請求項２記載のファクシミリ装置。
【請求項４】
パーソナルコンピュータを直接接続するか、または、他のファクシミリ装置を回線を介して接続するための接続手段を備え、その接続手段に接続された他装置である前記パーソナルコンピュータまたは他のファクシミリ装置との間で所定のプロトコル手順をやりとりしてファクシミリメッセージを送受信するファクシミリ装置において、
自装置を前記接続手段に接続された他装置にとってのスキャナ装置として指定する所定の操作入力を検出するローカル送信検出手段と、
そのローカル送信検出手段が前記所定の操作入力を検出した場合は、前記接続手段に直接接続された前記他装置としての前記パーソナルコンピュータに呼出信号を送出し、その呼出信号に応答した前記他装置としての前記パーソナルコンピュータとの間で前記所定のプロトコル手順を短縮したプロトコル手順をやりとりして、原稿を読み取って得た前記他装置への画像データをファクシミリメッセージとして送信するローカル送信手段と
を備えたことを特徴とするファクシミリ装置。
【発明の詳細な説明】
【０００１】
【発明の属する技術分野】
本発明は、他装置を直接または回線を介して接続するための接続手段を備え、その接続手段に接続された他装置との間で所定のプロトコル手順をやりとりしてファクシミリメッセージを送受信するファクシミリ装置に関する。
【０００２】
【従来の技術】
近年のパーソナルコンピュータの普及はめざましく事業所に限らず、一般家庭にまでも広く導入されている。
【０００３】
そのようなパーソナルコンピュータにおいては、オペレーティングシステムの管理下で、使用目的毎にアプリケーションを切り替えることで種々の機能を実現できる。例えば、文書の作成・編集、画像の作成・編集や、それら作成・編集した文書や画像のデータを、インターフェースを介して接続したプリンタ装置に転送して記録紙に記録させたりすることができる。
【０００４】
また、インターフェースを介して接続されたスキャナ装置で原稿画像を読み取って得られた画像データを編集したり、ＯＣＲアプリケーションで処理してテキストデータに変換したりすることもできる。
【０００５】
一方、近年のファクシミリ装置の普及はパーソナルコンピュータの場合と同様にめざましく、事業所に限らず、一般家庭にまでも広く導入されている。
【０００６】
ファクシミリ装置は、その機能上、送信または複写原稿画像を読み取るためのスキャナ装置と、そのスキャナ装置で読み取った画像データやファクシミリメッセージとして受信した画像データを記録紙に記録するためのプロッタ装置とを備えている。
【０００７】
ファクシミリ装置が備えるスキャナ装置の、原稿の画像データを得るという機能は、パーソナルコンピュータの周辺機器としてのスキャナ装置の機能と同様であり、また、ファクシミリ装置が備えるプロッタ装置の、画像データを記録紙に記録するという機能は、パーソナルコンピュータの周辺機器としてのプリンタ装置の機能と同様である。
【０００８】
したがって、画像データをパーソナルコンピュータからファクシミリ装置に転送できれば、ファクシミリ装置をパーソナルコンピュータにとってのプリンタ装置として利用でき、逆に画像データをファクシミリ装置からパーソナルコンピュータに転送できれば、ファクシミリ装置をパーソナルコンピュータ装置にとってのスキャナ装置として利用できることになる。
【０００９】
そこで、ファクシミリ装置にパーソナルコンピュータ等のコンピュータ装置と相互接続するための専用のインターフェースを設けて、その専用のインターフェースを介して画像データを相互に転送することでファクシミリ装置をパーソナルコンピュータ装置にとってのプロッタ装置やスキャナ装置として利用可能とする構成のシステムもある。
【００１０】
しかし、そのような専用のインターフェースでファクシミリ装置とパーソナルコンピュータ装置とを接続する構成では、その専用のインターフェースを介したデータ転送機能を、ファクシミリ装置及びパーソナルコンピュータの双方が備えければならず、コストがかさんでしまう問題がある。
【００１１】
そこで、最近は、標準装備されているといってもよい程にパーソナルコンピュータ装置が備えているファクシミリモデムと、ファクシミリ装置の回線接続端子とを回線を介さずに直結して、ファクシミリ装置同士が回線を介してＧ３ファクシミリプロトコル等の所定のプロトコル手順をやりとりしながら画像データをファクシミリメッセージとして送受信するとの同様に、画像データをローカルに送受信することで、ファクシミリ装置とパーソナルコンピュータ装置との間の画像データの転送を低コストで実現していた。
【００１２】
また、ファクシミリ装置の回線接続端子には従来通り回線を接続し、外部端末接続端子にパーソナルコンピュータのファクシミリモデムを接続して、回線接続端子、外部端末接続端子及び自装置内のモデムを切り替え制御することで、ファクシミリ装置と他のファクシミリ装置との回線を介した送受信、パーソナルコンピュータと、他のファクシミリ装置との回線を介した送受信、及び、ファクシミリ装置とパーソナルコンピュータとのローカルな送受信とを可能とし、回線を介して他のファクシミリ装置と通常のファクシミリ通信を行う場合と、パーソナルコンピュータのファクシミリモデムと直結して、パーソナルコンピュータの周辺機器として動作する場合とで、回線からの接続ケーブルと、パーソナルコンピュータのファクシミリモデムからの接続ケーブルとをつなぎ替える手間を省けるようにしたものもある（特願平６−３１６１０１号参照）。
【００１３】
【発明が解決しようとする課題】
しかしながら、従来は、相互に直結されたパーソナルコンピュータのファクシミリモデムとファクシミリ装置とが画像データをローカルに送受信する場合でも、疑似的な回線品質や回線遅延、送受信端末間の機能・能力差は固定的であるにも関わらず、実際の回線品質、回線遅延等を考慮して時間的に余裕を持たせて取り決められており、また、各通信毎に不定な送受信端末間の機能・能力差を考慮して取り決められているＧ３ファクシミリプロトコルに従わなければならなかった。そのため、画像データの送受信に要する時間だけではなく、画像データの送受信に前後するＧ３ファクシミリプロトコルの制御信号のやりとりやモデムトレーニング等に要する時間が長過ぎ、その分画像データの送受信時間が実質的に長くなってしまうという問題点があった。
【００１４】
本発明は係る事情に鑑みてなされたものであり、ファクシミリ装置とコンピュータ装置のファクシミリモデムとを直結して疑似的なファクシミリ通信を行うことで画像データを転送することによる低コスト性を維持しつつ、画像データの転送時間を短縮できるファクシミリ装置を提供することを目的とする。
【００１５】
【課題を解決するための手段】
上記目的を達成するため、請求項１記載のファクシミリ装置は、パーソナルコンピュータを直接接続するか、または、他のファクシミリ装置を回線を介して接続するための接続手段を備え、その接続手段に接続された他装置である前記パーソナルコンピュータまたは他のファクシミリ装置との間で所定のプロトコル手順をやりとりしてファクシミリメッセージを送受信するファクシミリ装置において、前記接続手段に接続された他装置から送出されてくる、自装置を前記他装置にとってのプリンタ装置として指定する所定の選択信号を検出するローカル受信検出手段と、そのローカル受信検出手段が前記所定の選択信号を検出した場合は、前記他装置を自装置と直結された前記パーソナルコンピュータであるとして、当該パーソナルコンピュータとの間で前記所定のプロトコル手順を短縮したプロトコル手順をやりとりして前記他装置としての前記パーソナルコンピュータからの画像データをファクシミリメッセージとして受信して記録するローカル受信手段とを備えたことを特徴とする。
【００１６】
請求項２記載のファクシミリ装置は、請求項１記載のファクシミリ装置において、ファクシミリメッセージとして受信した画像データをロール紙に記録する記録手段と、その記録手段の画像データ１ページ当たりの記録長を設定する記録ページ長設定手段と、前記ローカル受信手段が受信した各ページの画像データが前記記録手段により記録される前または後に、それら各画像データの全長とフィード長との合計が、前記記録ページ長設定手段により設定された記録長とほぼ一致するのに相当する前記フィード長だけ前記ロール紙をフィードする定型補正手段とを更に備えたことを特徴とする。
【００１７】
請求項３記載のファクシミリ装置は、請求項２記載のファクシミリ装置において、定型モード設定／解除手段を更に備え、前記定型補正手段は、前記定型モード設定／解除手段により定型モードに設定されている場合のみ、前記ローカル受信手段が受信した各ページの画像データが前記記録手段により記録される前または後に、それら各画像データの全長とフィード長との合計が、前記記録ページ長設定手段により設定された記録長とほぼ一致するのに相当する前記フィード長だけ前記ロール紙をフィードすることを特徴とする。
【００１８】
請求項４記載のファクシミリ装置は、パーソナルコンピュータを直接接続するか、または、他のファクシミリ装置を回線を介して接続するための接続手段を備え、その接続手段に接続された他装置である前記パーソナルコンピュータまたは他のファクシミリ装置との間で所定のプロトコル手順をやりとりしてファクシミリメッセージを送受信するファクシミリ装置において、自装置を前記接続手段に接続された他装置にとってのスキャナ装置として指定する所定の操作入力を検出するローカル送信検出手段と、そのローカル送信検出手段が前記所定の操作入力を検出した場合は、前記接続手段に直接接続された前記他装置としての前記パーソナルコンピュータに呼出信号を送出し、その呼出信号に応答した前記他装置としての前記パーソナルコンピュータとの間で前記所定のプロトコル手順を短縮したプロトコル手順をやりとりして、原稿を読み取って得た前記他装置への画像データをファクシミリメッセージとして送信するローカル送信手段とを備えたことを特徴とする。
【００１９】
【発明の実施の形態】
以下、添付図面を参照しながら、本発明の実施の形態を詳細に説明する。
【００２０】
先ず、図１は、本発明の実施の形態に係るファクシミリ装置１のブロック構成を示している。同図において、ファクシミリ装置１は、システム制御部２、ＲＯＭ３、ＲＡＭ４、スキャナ５、プロッタ６、符号化復号化部７、操作部８、表示部９、モデム１０、網制御部１１、及び、システムバス１２により構成されている。
【００２１】
ここで、システム制御部２は、ＲＯＭ３書き込まれた制御プログラムに従って、ＲＡＭ４を作業領域として使用しながら、スキャナ５、プロッタ６、符号化復号化部７、操作部８、表示部９、モデム１０、網制御部１１、及び、システムバス１２を制御するものである。
【００２２】
ＲＯＭ３は、前述したように、システム制御部２が上記装置各部を制御するための制御プログラムが記憶されているリードオンリメモリである。ＲＡＭ４は、前述したようにシステム制御部２の作業領域として使用されるランダムアクセスメモリであり、スキャナ５で読み取った画像データを、メモリ送信するために一時的にファイルとして蓄積したり、受信した画像データを、プロッタ６により記録するまでファイルとして一時的に蓄積したりするためにも使用される。なお、ＲＡＭ４は、図示しないバックアップ用回路によりバックアップされており、装置電源遮断時にも記憶内容は保持される。
【００２３】
スキャナ５は、３．８５本／ｍｍ、７．７本／ｍｍ、１５．４本／ｍｍ等の所定の読み取り線密度で原稿画像を読み取って画像データを得るためのものである。プロッタ６は、受信した画像データを、その線密度に応じて記録出力したり、スキャナ５で読み取った画像データを、その線密度に応じて記録出力（コピー動作）するためのものである。なお、プロッタ６は、電子写真方式等の定型紙を用いたものではなく、感熱ロール紙等のロール記録紙を用いたプロッタであり、幅がＡ４定型紙の幅（２１０ｍｍ）のＡ４サイズのロール記録紙か、たまは、幅がＢ４定型紙の幅（２５７ｍｍ）のＢ４サイズのロール記録紙のいずれかを使用できるものである。また、プロッタ６は、１ページ分の画像データを記録する毎にページ間マークを印字するか、または、記録紙カッターで１ページ毎に分離可能なものである。
【００２４】
符号化復号化部７は、送信画像データを、Ｇ３ファクシミリに適合する、ＭＨ符号化方式やＭＲ符号化方式等の所定の符号化方式で符号化圧縮する一方、受信画像データをＭＨ符号化方式やＭＲ符号化方式に対応する所定の復号化方式で復号伸長するものである。操作部８は、宛先電話番号を指定するためのテンキー、送信スタートキー、ワンタッチダイヤルキー、及び、その他各種設定キーが配設され、ユーザによる各種操作を受け入れるためのものである。表示部９は、液晶表示装置等により構成されるものであり、ユーザに知らせるべき装置の動作状態や、各種メッセージを表示するものである。
【００２５】
モデム１０は、Ｇ３ファクシミリモデムであり、送信データを変調する一方、受信データを復調するものである。また、モデム１０は、入力されたダイヤル番号に対応してＤＴＭＦ信号の送出も行う。網制御部１１には、回線２０と、パーソナルコンピュータ（ＰＣ）８０が備えるＧ３ファクシミリプロトコルに対応したファクシミリモデム８１とが接続されている。システムバス１２は、上記各部がデータをやり取りするための信号ラインである。
【００２６】
パーソナルコンピュータ８０が備えるファクシミリモデム８１は、パーソナルコンピュータ８０の本体とＲＳ２３２Ｃインターフェース等のインターフェースを介して接続される場合、パーソナルコンピュータ８０内部に拡張ボードとして増設される場合、パーソナルコンピュータ８０の内部回路の一部として組み込まれている場合等、種々の具備形態があるが、本発明は、パーソナルコンピュータ８０側のファクシミリモデム８１の具備形態により限定されるものではない。
【００２７】
ファクシミリモデム８１を介した画像データの送受信は、パーソナルコンピュータ８１上で稼動するアプリケーションソフトウェアにより制御される。ファクシミリモデム８１は、通常は回線９０に接続されて、パーソナルコンピュータ８１上で稼動するファクシミリアプリケーションソフトウェアにより制御されて、あたかも通常のファクシミリ装置が備えるモデムと同様の役割をしてパーソナルコンピュータ８１を通常のファクシミリ装置と同様に動作させるが、本実施の形態では、ファクシミリモデム８１は、後述するように、網制御部１１の切り換え制御により必要に応じてファクシミリ装置１のモデム１０と直結され、パーソナルコンピュータ８０とファクシミリ装置１との間で画像データを転送するためのインターフェースとして動作する。
【００２８】
図２に、網制御部１１の詳細構成と、網制御部１１、モデム１０、回線９０、及び、パーソナルコンピュータ８０のファクシミリモデム８１の接続状態を示す。
【００２９】
同図において、網制御部１１の、モジュラジャック等の接続端子１１ａには、モジュラケーブル等の接続ケーブルにより回線９０が接続されている。また、網制御部１１の接続端子１１ｂは、パーソナルコンピュータ８０が備えるファクシミリモデム８１の接続端子８１ａと接続ケーブルを介して接続されている。
【００３０】
また、網制御部１１のライントランス２１の一方の巻線側には、ファクシミリ装置１の内部でモデム１０が接続され、回線９０、ファクシミリモデム８１及びモデム１０の相互間の通信経路が網制御部１１により切り換え制御される。
【００３１】
つまり、ライントランス２１のモデム１０とは反対側の巻線は、直列接続されたＤＰ（ダイヤルパルス）リレー２２、切換スイッチ２３及び切換スイッチ２４を介して、回線９０に接続された接続端子１１ａに接続され、また、切換スイッチ２３及び切換スイッチ２４のそれぞれの接点ｂの相互接続点は、ファクシミリモデム８１に直結された接続端子１１ｂに接続されている。
【００３２】
したがって、切換スイッチ２３を接点ａ側に切り換え、切換スイッチ２４を接点ｂ側に切り換えることで、回線９０とファクシミリモデム８１との間の通信経路を形成でき、ファクシミリ装置１は、待機状態時には、この接続状態で待機している。そして、ファクシミリ装置１のスキャナ５に原稿がセットされて、操作部８により相手先ダイヤル番号が指定されて、送信スタートキーが押下された場合のように、回線９０を介して通常のファクシミリ送信を行う場合には、切換スイッチ２３を接点ａ側に切り換え、切換スイッチ２３も接点ａ側に切り換えることで、回線９０とモデム１０との間の通信経路を形成できる。
【００３３】
また、回線９０を介さずに、ファクシミリ装置１と、ファクシミリモデム８１を備えたコンピュータ装置８０とが直接通信を行う場合、すなわち、ファクシミリ装置１をパーソナルコンピュータ８０にとってのプリンタ装置やスキャナ装置として利用する場合には、切換スイッチ２３を接点ｂ側に切り換え、切換スイッチ２３を接点ａ側に切り換えることで、モデム１０とファクシミリモデム８１との間の通信経路を形成できる。なお、ＤＰリレー２２、切換スイッチ２３、及び、切換スイッチ２４は、システム制御部２により切り換え制御される。
【００３４】
また、網制御部１１は、それぞれ接続端子１１ｂに接続されたフック検出部２５、リンギング信号検出部２６、ＤＴＭＦ信号検出部２７、リンギンク信号発生部２８及び直流電圧印加部２９を備えている。
【００３５】
フック検出部２５は、待機状態において、回線９０とファクシミリモデム８１との間の直流ループの状態を監視して、ファクシミリモデム８１のオン・オフフックを検出するためのものである。リンギング信号検出部２６は、待機状態において回線９０から到来するリンギング信号（呼出信号）を検出するためのものである。ＤＴＭＦ信号検出部２７は、待機状態においてファクシミリモデム８１から回線９０に送出されるＤＴＭＦ信号を検出するためのものである。なお、フック検出部２５、リンギング信号検出部２６、及び、ＤＴＭＦ信号検出部２７の検出結果は、システムバス１２を介してシステム制御部２に通知される。
【００３６】
リンギング信号発生部２８は、必要に応じてファクシミリモデム８１に対してリンギング信号を送出するためのものである。直流電圧印加部２９は、必要に応じてファクシミリモデム８１に対して回線９０から供給されるのと同様の直流電圧を供給するためのものである。なお、リンギング信号発生部２８及び直流電圧印加部２９は、システムバス１２を介してシステム制御部２により制御される。
【００３７】
次に、以上の構成でファクシミリ装置１がパーソナルコンピュータ８０にとってのプリンタ装置として動作する場合のローカル受信処理手順、及び、ファクシミリ装置１がパーソナルコンピュータ８０にとってのスキャナ装置として動作する場合のローカル送信処理手順について説明する。
【００３８】
先ず、ローカル受信処理手順について、図５を参照して説明するが、その前に、図５に示すローカル受信処理手順の前提となる用紙サイズ設定処理手順及び定型モード設定処理手順について、それぞれ図３及び図４を参照して説明する。
【００３９】
図３に示す用紙サイズ設定処理手順において、システム制御部２は、操作部８に設けられた、プロッタ６における画像記録サイズをＡ４またはＢ４のいずれかに設定するための、図示しない「Ａ４」キーまたは「Ｂ４」キーが押下されるのを監視する（判断１０１のＮｏ、判断１０２のＮｏループ）。そして、「Ａ４」キーが押下されると（判断１０１のＹｅｓ）、画像記録サイズを「Ａ４」に設定し（処理１０３）、「Ｂ４」キーが押下されると（判断１０２のＹｅｓ）、画像記録サイズを「Ｂ４」に設定する（処理１０４）。なお、画像記録サイズの設定状態は、ＲＡＭ４に所定の変数としてとして格納され、システム制御部２は、ＲＡＭ４を参照することで、画像記録サイズの現在の設定状態を随時知ることができる。
【００４０】
また、図４に示す定型モード設定処理手順において、システム制御部２は、操作部８に設けられた、定型モード設定／解除用の図示しない「定型」キーが押下されるのを監視する（判断２０１のＮｏループ）。そして、「定型」キーが押下されると（判断２０１のＹｅｓ）、定型モードに設定する（処理２０２）。なお、定型モードについては、後述する。そして、「定型」キーが押下されるのを更に監視し（判断２０３のＮｏループ）、「定型」キーが押下されると（判断２０３のＹｅｓ）、定型モードを解除する（処理２０４）。処理２０４の後は、判断２０１に戻る。これにより、「定型」キーが押下される毎に、定型モードに設定され、または、定型モードが解除される。なお、定型モードの設定／解除状態は、ＲＡＭ４に所定の変数としてとして格納され、システム制御部２は、ＲＡＭ４を参照することで、定型モードの現在の設定／解除状態を随時知ることができる。
【００４１】
次に、ローカル受信処理手順について、図５を参照して説明する。
【００４２】
同図において、システム制御部２は、待機状態において、フック検出部２５によりパーソナルコンピュータ（ＰＣ）８０のファクシミリモデム８１がオフフックしたかを監視している（判断３０１のＮｏループ）。この場合、パーソナルコンピュータ８０のファクシミリモデム８１がオフフックされる場合としては、ファクシミリ装置１の網制御部１１を介してファクシミリモデム８１と接続されている回線９０を介して他のファクシミリ装置や、ファクシミリモデムを備えた他のパーソナルコンピュータに対して画像データをファクシミリメッセージとして送信する場合と、パーソナルコンピュータ８０がファクシミリ装置１を、プリンタ装置として使用するために、画像データをファクシミリメッセージとしてファクシミリ装置１に送信する場合とがある。
【００４３】
そのため、ファクシミリ装置１とパーソナルコンピュータ８０との間で、パーソナルコンピュータ８０がファクシミリ装置１をプリンタ装置として使用する場合に指定する電話番号を予め取り決めておき、ファクシミリ装置１は、その電話番号をＲＡＭ４に記憶しておく。そのファクシミリ装置１をプリンタ装置として指定するための電話番号は、回線９０では使用されないような固有の番号である必要があり、本実施の形態は、「５５５」という番号であるとする。
【００４４】
そして、パーソナルコンピュータ８０のオフフックが検出されると（判断３０１のＹｅｓ）、ＤＴＭＦ信号検出部２７により検出される、ファクシミリモデム８０から送出されてくるＤＴＭＦ信号が番号「５５５」を示すものであるかを判断する（判断３０２）。「５５５」でない場合（判断３０２のＮｏ）は、パーソナルコンピュータ８０は、回線９０を介して他のファクシミリ装置等に対して通常のファクシミリ送信を行う場合であるため、ファクシミリ装置１としてはファクシミリモデム８０と回線９０の接続を維持したまま処理を終了する。
【００４５】
ＤＴＭＦ信号が番号「５５５」を示すものである場合（判断３０２のＹｅｓ）には、自装置のモデム１０とパーソナルコンピュータ８０のファクシミリモデム８１とを直結する（処理３０３）。具体的には、切換スイッチ２３を接点ｂ側に切り換えると共に、切換スイッチ２４を接点ａ側に切り換える。そして、システム制御部２は、回線９０から切り離されたことにより、回線９０からの直流電圧が印加されなくなったファクシミリモデム８１に対して、直流電圧印加するために、直流電圧印加部２９をＯＮし、ファクシミリモデム８１が接続された接続端子１１ｂへの直流電圧の印加を開始する（処理３０４）。
【００４６】
そして、Ｇ３ファクシミリプロトコルを短縮したプロトコルでの受信動作を開始する（処理３０５）。
【００４７】
つまり、従来ファクシミリ装置とパーソナルコンピュータとを直結してファクシミリ装置をパーソナルコンピュータにとってのプリンタ装置として使用する場合では、ファクシミリ装置が回線９０を介して画像データをファクシミリメッセージとして他のファクシミリ装置に送信する場合と同様に、ファクシミリ呼を指示するための発呼トーン（ＣＮＧ）、その発呼トーンに応答するための被呼局識別信号（ＣＥＤ）、被呼装置の全標準能力を識別するためのディジタル識別信号（ＤＩＳ）、標準能力を設定するためのディジタル送信命令（ＤＣＳ）、モデムの伝送速度の確認を行うためのトレーニングチェック（ＴＣＦ）、モデムの調整完了及び伝送前手順の終了を示す受信準備確認（ＣＦＲ）等の、Ｇ３ファクシミリプロトコルに基づいた制御信号のやりとりを行っている。
【００４８】
しかし、ファクシミリ装置１をパーソナルコンピュータ８０にとってのプリンタ装置として使用する場合には、回線９０を介さずに、ファクシミリモデム８１とモデム１０とをローカルに直結しているため、回線ノイズ等による信号劣化や、回線遅延等を考慮する必要がないため、Ｇ３ファクシミリプロトコルに基づいた上記の制御信号のやりとりを省略した短縮プロトコルでもパーソナルコンピュータ８０からの画像データをファクシミリメッセージとして受信することができる。
【００４９】
そのため、処理３０５の後は、すぐさま画像データがファクシミリメッセージとしてパーソナルコンピュータ８０から送信されてくる。これにより、画像データの送信が開始されるまでの時間を大幅に削減できる。
【００５０】
ただし、上記の短縮プロトコルで画像データの送受信は、基本的にはＧ３ファクシミリプロトコルに従い、省略可能なプロトコル手順を省略して画像データの転送時間の実質的な短縮を図るものであるため、通常のファクシミリ送受信時に必要となる、データの転送レートや、Ｉ／Ｏスピード等のパラメータ情報が必要となる。そのため、パーソナルコンピュータ８０とファクシミリ装置１との間で、それらのパラメータ情報を予め整合させて登録しておくか、あるいは、パーソナルコンピュータ８０とファクシミリ装置１との間で、最低１回はプロトコルを短縮しない通常のファクシミリ通信を行って、上記パラメータ情報について整合させておく。それにより、パーソナルコンピュータ８０とファクシミリ装置１との間で通信上の能力をお互いに理解でき、その必要な情報を記憶しておけば次回からは画情報送受信前のプロトコルを省略しても正常な送受信が可能となる。
【００５１】
さて、処理３０５の後は、パーソナルコンピュータ８０からファクシミリモデム８１を介してファクシミリメッセージとして送信されてくる画像データを受信すると共に、受信した画像データを順次プロッタ６でロール記録紙に記録する、パーソナルコンピュータ８０にとってのプリンタ装置として受信動作を行いながら、１ページの画像データの受信・記録が終了したかを監視する（判断３０６のＮｏループ）。
【００５２】
そして、短縮プロトコル手順においても省略しない、マルチページ信号（ＭＰＳ）を受信して、メッセージ確認信号（ＭＣＦ）を返す手順が行われて、１ページ分の画像データの受信・記録が終了すると（判断３０６のＹｅｓ）、図４に示した処理により定型モードに設定されているかを確認する（判断３０７）。
【００５３】
定型モードに設定されている場合（判断３０７のＹｅｓ）は、システム制御部２は、図３に示した処理により設定されている用紙サイズに対応する用紙長、つまり、設定されている用紙サイズが「Ａ４」（幅２１０ｍｍ×長さ２９７ｍｍ）である場合には、２９７ｍｍ、設定されている用紙サイズが「Ｂ４」（幅２５７ｍｍ×長さ３６４ｍｍ）である場合には、３６４ｍｍ、になるまでプロッタ６にロール紙をフィードさせる（処理３０８）。具体的には、設定されている用紙サイズに対応する用紙長と、記録した画像データのライン数と記録密度で決まる当該画像データの記録長との差の分だけロール紙をフィードさせる。これにより、受信・記録した画像データの長さによらず、常に設定された定型サイズで記録することができ、ファクシミリ装置１をパーソナルコンピュータ８０にとってのプリンタ装置として使用する場合に、レーザプリンタ等の通常の定型のプリンタ装置と同様のイメージで使用することができる。
【００５４】
判断３０７において、定型モードに設定されていない場合（判断３０７のＮｏ）、または、処理３０８の後は、プリンタ６によりロール記録紙にページ間マークを印字するか、または、ロール記録紙をカッタでカットし（処理３０９）、次ページがある場合（判断３１０のＹｅｓ）は、判断３０６に戻り、判断３０６ないし処理３０９を繰り返す。次ページがない場合（判断３１０のＮｏ）は、処理を終了する。
【００５５】
このように、Ｇ３ファクシミリプロトコル手順に基づきつつ、回線９０を介さないローカルな画像データの受信の場合には、省略可能な手順を省くことで、ファクシミリ装置１をパーソナルコンピュータ８０のプリンタ装置として使用する場合の画像データの転送時間を大幅に短縮できる。
【００５６】
次に、ファクシミリ装置１をパーソナルコンピュータ８０にとってのスキャナ装置として使用場合の処理手順である、図６に示すローカル送信処理について説明する。
【００５７】
同図において、ファクシミリ装置１のシステム制御部２は、スキャナ５に原稿がセットされたかを監視し（判断４０１のＮｏループ）、原稿がセットされると（判断４１０１のＹｅｓ）、次に、操作部８に設けられた図示しない「スキャナ」キーが押下されるかを監視する（判断４０２のＮｏループ）。この「スキャナ」キーは、ファクシミリ装置１をパーソナルコンピュータ８０にとってのスキャナ装置として指定するためのキーである。
【００５８】
システム制御部２は、「スキャナ」キーが押下されると（判断４０２のＹｅｓ）、自装置のモデム１０とパーソナルコンピュータ８０のファクシミリモデム８１とを直結する（処理４０３）。具体的には、切換スイッチ２３を接点ｂ側に切り換えると共に、切換スイッチ２４を接点ａ側に切り換える。そして、システム制御部２は、回線９０から切り離されたことにより、回線９０からの直流電圧が印加されなくなったファクシミリモデム８１に対して、直流電圧印加するために、直流電圧印加部２９をＯＮし、ファクシミリモデム８１が接続された接続端子１１ｂへの直流電圧の印加を開始する（処理４０４）。
【００５９】
そして、リンギンク信号発生部２８を起動して接続端子１１ｂを介してパーソナルコンピュータ８０のファクシミリモデム８１に回線９０からのリンギンク信号と同様のリンギンク信号を送出しながら（処理４０５）、そのリンギンク信号に、受信待機状態にあるパーソナルコンピュータ８０が応答して、パーソナルコンピュータ８０のファクシミリモデム８１がオフフックされたかが、フック検出部２５により検出されたかを監視し（判断４０６のＮｏループ）、オフフックされた場合（判断４０６のＹｅｓ）には、Ｇ３ファクシミリプロトコルを短縮したプロトコルでの受信動作を開始する（処理４０７）。この場合の短縮プロトコルは、図５に示したローカル受信処理手順における短縮プロトコルと同様で、単に、画像データがパーソナルコンピュータ８０からファクシミリ装置１に送信されるのではなく、逆に、ファクシミリ装置１からパーソナルコンピュータ８０に送信される点が異なるのみである。
【００６０】
そのため、処理４０７の後は、すくさま画像データをファクシミリメッセージとしてパーソナルコンピュータ８０に送信する。これにより、画像データの送信を開始するまでの時間を大幅に削減できる。
【００６１】
そして、処理４０７の後は、パーソナルコンピュータ８０にとってのスキャナ装置として送信動作を行いながら、１ページの画像データの読取・送信が終了したかを監視し（判断４０８のＮｏループ）、１ページの読取・送信が終了すると（判断４０８のＹｅｓ）、読み取るべき次ページが有るかを判断し（判断４０９）、次ページが有る場合（判断４０９のＹｅｓ）には、判断４０８に戻って次ページの読取・送信を行い、次ページが無い場合（判断４０９のＮｏ）には、処理を終了する。
【００６２】
このように、Ｇ３ファクシミリプロトコル手順に基づきつつ、回線９０を介さないローカルな画像データの送信の場合には、省略可能な手順を省くことで、ファクシミリ装置１をパーソナルコンピュータ８０のスキャナ装置として使用する場合の画像データの転送時間を大幅に短縮できる。
【００６３】
なお、以上説明した実施の形態においては、網制御部１１に、パーソナルコンピュータ８０のファクシミリモデム８１を接続するための接続端子１１ｂと、回線９０を接続するための接続端子１１ａとを別々に設けて、パーソナルコンピュータ８０とファクシミリ装置１との間でローカルな送受信を行う場合には、パーソナルコンピュータ８０のファクシミリモデム８１の通信経路を回線９０からファクシミリ装置１のモデム１０に自動的に切り換える構成のものに本発明を適用したが、本発明はそれに限らず、網制御部１１に接続端子１１ａのみを設けて常時は回線９０を接続しておき、パーソナルコンピュータ８０とファクシミリ装置１との間でローカルな送受信を行う場合には、ケーブルの手作業によるつなぎかえで、ファクシミリモデム８１をモデム１０に接続するようにした構成のものに対しても同様に適用可能なものである。
【００６４】
【発明の効果】
請求項１に係る発明によれば、前記ローカル受信検出手段が前記接続手段に接続された他装置から送出されてくる、自装置を前記他装置にとってのプリンタ装置として指定する所定の選択信号を検出すると、前記ローカル受信手段は前記他装置としての前記パーソナルコンピュータとの間で前記所定のプロトコル手順を短縮したプロトコルをやりとりして前記他装置としての前記パーソナルコンピュータからの画像データをファクシミリメッセージとして受信して記録するため、本発明に係るファクシミリ装置が前記他装置としてのパーソナルコンピュータにとってのプロッタ装置として動作する場合における画像データの転送時間を短縮できると共に、ファクシミリ装置とパーソナルコンピュータのファクシミリモデムとを直結して疑似的なファクシミリ通信を行うことで画像データを転送することによる低コスト性は維持することができる効果が得られる。
【００６５】
請求項２に係る発明によれば、前記他装置としてのコンピュータ装置からファクシミリメッセージして受信した画像データを前記記録手段によりロール紙に記録する場合には、それらの画像データの全長とフィード長との合計が、前記記録ページ長設定手段により設定された記録長とほぼ一致するのに相当する前記フィード長だけ前記ロール紙が前記定型補正手段によりフィードされるため、前記コンピュータ装置からの画像データの長さによらず、記録紙長さを一定に保つことができるため、通常のパーソナルコンピュータ等のコンピュータ装置用の定型のプリンタ装置と同じイメージでの画像記録が可能となり、本発明に係るファクシミリ装置を前記他装置としてのコンピュータ装置にとってのプリンタ装置として使用した場合の違和感を低減できる効果が得られる。
【００６６】
請求項３に係る発明によれば、前記定型補正手段は、前記定型モード設定／解除手段により定型モードに設定されている場合のみ、前記ローカル受信手段が受信した各ページの画像データが前記記録手段により記録される前または後に、それら各画像データの全長とフィード長との合計が、前記記録ページ長設定手段により設定された記録長とほぼ一致するのに相当する前記フィード長だけ前記ロール紙をフィードし、定型モードに設定されていない場合には、前記ローカル受信手段が受信した各ページの画像データを、そのままの長さで記録するため、前記他装置としてのコンピュータ装置が本発明に係るファクシミリ装置をプリンタ装置として使用して、画像の記録状態や、体裁を確認するため等のテスト的な画像記録を行う場合には、定型モードを解除することで、記録紙を無駄に使用しないで済み、正式な画像記録を行う場合には、定型モードに設定することで対応することが可能となる効果が得られる。
【００６７】
請求項４に係る発明によれば、前記ローカル送信検出手段が自装置を前記接続手段に接続された他装置にとってのスキャナ装置として指定する所定の操作入力を検出すると、前記ローカル送信手段は前記接続手段に直接接続された前記他装置としての前記パーソナルコンピュータに呼出信号を送出し、その呼出信号に応答した前記他装置としての前記パーソナルコンピュータとの間で前記所定のプロトコル手順を短縮したプロトコル手順をやりとりして、原稿を読み取って得た前記他装置への画像データをファクシミリメッセージとして送信するため、本発明に係るファクシミリ装置が前記他装置としてのパーソナルコンピュータにとってのスキャナ装置として動作する場合における画像データの転送時間を短縮できると共に、ファクシミリ装置とコンピュータ装置のファクシミリモデムとを直結して疑似的なファクシミリ通信を行うことで画像データを転送することによる低コスト性は維持することができる効果が得られる。
【図面の簡単な説明】
【図１】本発明の実施の形態に係るファクシミリ装置のブロック構成を示す図である。
【図２】本発明の実施の形態に係るファクシミリ装置の網制御部のブロック構成等を示す図である。
【図３】本発明の実施の形態に係るファクシミリ装置における用紙サイズ設定処理手順を示すフローチャートである。
【図４】本発明の実施の形態に係るファクシミリ装置における定型モード設定処理手順を示すフローチャートである。
【図５】本発明の実施の形態に係るファクシミリ装置におけるローカル受信処理手順を示すフローチャートである。
【図６】本発明の実施の形態に係るファクシミリ装置におけるローカル送信処理手順を示すフローチャートである。
【符号の説明】
１  ファクシミリ装置
２  システム制御部
３  ＲＯＭ
４  ＲＡＭ
５  スキャナ
６  プロッタ
７  符号化復号化部
８  操作部
９  表示部
１０  モデム
１１  網制御部
１１ａ  接続端子
１１ｂ  接続端子
１２  システムバス
２１  ライントランス
２２  ＤＰリレー
２３  切換スイッチ
２４  切換スイッチ
２５  フック検出部
２６  リンギング信号検出部
２７  ＤＴＭＦ信号検出部
２８  リンギング信号発生部
２９  直流電圧印加部
８０  パーソナルコンピュータ
８１  ファクシミリモデム
８１ａ  接続端子
９０  回線
【図１】
0003678324.tif 000002
【図２】
0003678324.tif 000003
【図３】
0003678324.tif 000004
【図４】
0003678324.tif 000005
【図５】
0003678324.tif 000006
【図６】
0003678324.tif 000007